(57)【要約】【課題】平板状ケーブルの導電トレース接続部に接続される凸部を配線に形成することによって、平板状ケーブルを容易に、かつ、確実に接続することができ、製造が容易で、構成が簡素で、小型低背、かつ、高密度でありながら、信頼性が高くなるようにする。【解決手段】平板状ケーブルが接続される平板状のケーブル接続部と、相手方コネクタと嵌合する平板状の嵌合部とを有するコネクタであって、前記嵌合部に配設され、前記相手方コネクタの相手方端子と接触する複数の端子と、前記ケーブル接続部に露出し、前記平板状ケーブルの導電トレース接続部に接続される複数の導電接続部と、前記嵌合部から前記ケーブル接続部に亘って延在し、各々が対応する端子と導電接続部とを電気的に接続する複数の配線とを有し、前記導電接続部は、前記配線に形成された凸部であり、該凸部の上面が前記ケーブル接続部の一方の外面と同等の高さである。【選択図】図１
2014225336.tif 000002
【特許請求の範囲】
【請求項１】
（ａ）平板状ケーブルが接続される平板状のケーブル接続部と、相手方コネクタと嵌合する平板状の嵌合部とを有するコネクタであって、
（ｂ）前記嵌合部に配設され、前記相手方コネクタの相手方端子と接触する複数の端子と、
（ｃ）前記ケーブル接続部に露出し、前記平板状ケーブルの導電トレース接続部に接続される複数の導電接続部と、
（ｄ）前記嵌合部から前記ケーブル接続部に亘って延在し、各々が対応する端子と導電接続部とを電気的に接続する複数の配線とを有し、
（ｅ）前記導電接続部は、前記配線に形成された凸部であり、該凸部の上面が前記ケーブル接続部の一方の外面と同等の高さであることを特徴とするコネクタ。
【請求項２】
前記ケーブル接続部は、該ケーブル接続部を板厚方向に貫通する複数の接続部対応開口を備え、前記導電接続部の各々は、各接続部対応開口内に露出する請求項１に記載のコネクタ。
【請求項３】
前記接続部対応開口は、前記導電接続部よりも幅が広い請求項２に記載のコネクタ。
【請求項４】
前記ケーブル接続部は、前記配線の一面側に配設された絶縁性のベースフィルムと、前記配線の他面側に配設された絶縁性のカバーフィルムとを含み、
前記接続部対応開口は、前記ベースフィルムを板厚方向に貫通する開口と、前記カバーフィルムを板厚方向に貫通する開口とを含み、
前記凸部の上面は、前記ベースフィルムの外面と同等の高さである請求項３に記載のコネクタ。
【請求項５】
前記導電接続部は、前記コネクタの幅方向に延在する複数の列を形成するように並んで配列され、
互いに隣接する列内における導電接続部は、前記コネクタの幅方向に関し、互いに半ピッチずれて千鳥状と成るように配列される請求項１〜４のいずれか１項に記載のコネクタ。
【発明の詳細な説明】
【技術分野】
【０００１】
本発明は、コネクタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ：個人用携帯情報端末）、デジタルカメラ、ビデオカメラ、音楽プレーヤ、ゲーム機、車両用ナビゲーション装置等の電子機器においては、プリント回路基板等の実装部材にフレキシブル回路基板（ＦＰＣ：Ｆｌｅｘｉｂｌｅ  Ｐｒｉｎｔｅｄ  Ｃｉｒｃｕｉｔ）等の平板状ケーブルを接続するためのコネクタが使用されている（例えば、特許文献１参照。）。
【０００３】
図１１は従来のコネクタの分解図である。
【０００４】
図において、９０１はフレキシブル回路基板であり、樹脂シート９１５の片面に銅箔（はく）をパターニングして形成された複数本の導体９６１を備える。なお、該導体９６１の上面は、樹脂フィルム９１６によって被覆されている。また、前記フレキシブル回路基板９０１の端部には、複数の貫通孔（こう）９１７が形成されている。各貫通孔９１７は、隣接する導体９６１間に形成されている。そして、前記端部近傍では、樹脂フィルム９１６が除去され、導体９６１が露出している。
【０００５】
また、８１１は、図示されないプリント回路基板に前記フレキシブル回路基板９０１を接続するためのコネクタのハウジングであり、８５１は、前記コネクタが備える端子であり、その端子の一方の端部は、前記プリント回路基板の表面に露出する接続パッドにはんだ付されている。前記ハウジング８１１には、端子８５１の配列方向に延在する開口部８１２が形成され、該開口部８１２内に端子８５１が露出している。また、前記ハウジング８１１の上面には、前記フレキシブル回路基板９０１の端部を収容する凹部８１３が形成されている。なお、該凹部８１３の周囲３辺は、前壁部８１５と一対の側壁部８１４とによって画定されている。
【０００６】
さらに、８２１は、カバー部材であって、その片面には突出する複数の櫛（くし）歯ガイド８２２が形成されている。各櫛歯ガイド８２２は、開口部８１２内に露出する端子８５１同士の間隙（げき）８５２に進入して係合する。
【０００７】
そして、前記フレキシブル回路基板９０１をコネクタに接続する際には、まず、導体９６１が露出している面をハウジング８１１の上面に対向させた状態で、前記フレキシブル回路基板９０１の端部を凹部８１３に嵌（は）め込む。このとき、露出している導体９６１の各々を開口部８１２内に露出する端子８５１に対向させ、貫通孔９１７の各々を端子８５１の間隙８５２に対向させる。そして、前記カバー部材８２１を、その櫛歯ガイド８２２がハウジング８１１の上面に対向するような姿勢にして、フレキシブル回路基板９０１の上方から、ハウジング８１１に取付ける。すると、各櫛歯ガイド８２２が、貫通孔９１７を通過し、端子８５１同士の間隙８５２に進入して係合する。これにより、フレキシブル回路基板９０１がハウジング８１１に押付けられ、導体９６１が端子８５１と接触し、フレキシブル回路基板９０１がコネクタに接続される。
【先行技術文献】
【特許文献】
【０００８】
【特許文献１】特開平８−１３８８０８号公報
【発明の概要】
【発明が解決しようとする課題】
【０００９】
しかしながら、前記従来のコネクタにおいては、開口部８１２内に露出する端子８５１同士の間隙８５２にカバー部材８２１の櫛歯ガイド８２２を進入させて係合させるようになっているために、ハウジング８１１の高さ寸法を低下させることができず、また、端子８５１のピッチを狭くすることもできないので、小型高密度化の進展に伴う低背化及び電極の高密度化を実現することが困難である。
【００１０】
本発明は、前記従来のコネクタの問題点を解決して、平板状ケーブルの導電トレース接続部に接続される凸部を配線に形成することによって、平板状ケーブルを容易に、かつ、確実に接続することができ、製造が容易で、構成が簡素で、小型低背、かつ、高密度でありながら、信頼性の高いシートコネクタを提供することを目的とする。
【課題を解決するための手段】
【００１１】
そのために、本発明のコネクタにおいては、平板状ケーブルが接続される平板状のケーブル接続部と、相手方コネクタと嵌（かん）合する平板状の嵌合部とを有するコネクタであって、前記嵌合部に配設され、前記相手方コネクタの相手方端子と接触する複数の端子と、前記ケーブル接続部に露出し、前記平板状ケーブルの導電トレース接続部に接続される複数の導電接続部と、前記嵌合部から前記ケーブル接続部に亘（わた）って延在し、各々が対応する端子と導電接続部とを電気的に接続する複数の配線とを有し、前記導電接続部は、前記配線に形成された凸部であり、該凸部の上面が前記ケーブル接続部の一方の外面と同等の高さである。
【００１２】
本発明の他のコネクタにおいては、さらに、前記ケーブル接続部は、該ケーブル接続部を板厚方向に貫通する複数の接続部対応開口を備え、前記導電接続部の各々は、各接続部対応開口内に露出する。
【００１３】
本発明の更に他のコネクタにおいては、さらに、前記接続部対応開口は、前記導電接続部よりも幅が広い。
【００１４】
本発明の更に他のコネクタにおいては、さらに、前記ケーブル接続部は、前記配線の一面側に配設された絶縁性のベースフィルムと、前記配線の他面側に配設された絶縁性のカバーフィルムとを含み、前記接続部対応開口は、前記ベースフィルムを板厚方向に貫通する開口と、前記カバーフィルムを板厚方向に貫通する開口とを含み、前記凸部の上面は、前記ベースフィルムの外面と同等の高さである。
【００１５】
本発明の更に他のコネクタにおいては、さらに、前記導電接続部は、前記コネクタの幅方向に延在する複数の列を形成するように並んで配列され、互いに隣接する列内における導電接続部は、前記コネクタの幅方向に関し、互いに半ピッチずれて千鳥状と成るように配列される。
【発明の効果】
【００１６】
本発明によれば、コネクタは、平板状ケーブルの導電トレース接続部に接続される凸部が配線に形成されている。これにより、平板状ケーブルを容易に、かつ、確実に接続することができ、製造が容易で、構成が簡素で、小型低背、かつ、高密度でありながら、信頼性を高めることができる。
【図面の簡単な説明】
【００１７】
【図１】本発明の実施の形態における雌コネクタを示す平面図であって、（ａ）は反嵌合面側を示す図、（ｂ）は嵌合面側を示す図である。
【図２】本発明の実施の形態における雄コネクタを示す斜視図である。
【図３】本発明の実施の形態における雄コネクタの層構造を示す分解図である。
【図４】本発明の実施の形態における雌コネクタの要部断面図であり図１におけるＡ−Ａ矢視断面図である。
【図５】本発明の実施の形態における雌コネクタの分解図である。
【図６】本発明の実施の形態における雌コネクタの反嵌合面側を示す図であって、（ａ）は斜視図、（ｂ）は配線層のみを示す斜視図である。
【図７】本発明の実施の形態における平板状ケーブルの先端近傍を示す平面図である。
【図８】本発明の実施の形態における平板状ケーブルの先端に接続された雌コネクタを示す斜視図であって、（ａ）は雌コネクタの反嵌合面側から観た図、（ｂ）は雌コネクタの嵌合面側から観た図である。
【図９】本発明の実施の形態における雄コネクタと雌コネクタとの嵌合工程を示す平面図であって、（ａ）〜（ｃ）は嵌合工程の各段階を示す図である。
【図１０】本発明の実施の形態における雄コネクタと雌コネクタとが嵌合完了した状態を示す斜視図である。
【図１１】従来のコネクタの分解図である。
【発明を実施するための形態】
【００１８】
以下、本発明の実施の形態について図面を参照しながら詳細に説明する。
【００１９】
図２は本発明の実施の形態における雄コネクタを示す斜視図、図３は本発明の実施の形態における雄コネクタの層構造を示す分解図である。
【００２０】
図において、１０１は本実施の形態における相手方コネクタである第２コネクタとしての雄コネクタであって、図示されない実装部材に実装されるコネクタであり、後述される第１コネクタとしての雌コネクタ１と嵌合して電気的に接続される。
【００２１】
なお、前記実装部材は、例えば、電子機器等に使用されるプリント回路基板、フレキシブルフラットケーブル（ＦＦＣ：Ｆｌｅｘｉｂｌｅ  Ｆｌａｔ  Ｃａｂｌｅ）、フレキシブル回路基板等の基板であるが、必ずしも基板に限定されるものでなく、いかなる種類のものであってもよい。なお、ここでは基板であるものとして説明する。
【００２２】
本実施の形態において、雄コネクタ１０１、雌コネクタ１及びその他の部材に含まれる各部の構成及び動作を説明するために使用される上、下、左、右、前、後等の方向を示す表現は、絶対的なものでなく相対的なものであり、雄コネクタ１０１、雌コネクタ１及びその他の部材に含まれる各部が図に示される姿勢である場合に適切であるが、雄コネクタ１０１、雌コネクタ１及びその他の部材に含まれる各部の姿勢が変化した場合には、姿勢の変化に応じて変更して解釈されるべきものである。
【００２３】
そして、前記雌コネクタ１の相手方コネクタである雄コネクタ１０１は、平面形状が矩（く）形の平板状の本体部１１１を有する。該本体部１１１は、実装面側（反嵌合面側）（図２及び３における下側）から平坦（たん）な薄板部材である板状の補強板部としての補強層１１６、細長い帯状の形状を備える絶縁性の薄板部材である板状の第２基板部である雄基板部としてのベースフィルム１１５、及び、該ベースフィルム１１５の一面（嵌合面側の面）に配設された平板状の端子部材である雄導体としての複数の導体パターン１５１を有する。該導体パターン１５１は、パターン分離空間１５２によって互いに分離されている。なお、前記本体部１１１は、厚さ方向の寸法が約０．３〜０．５〔ｍｍ〕程度であるが、その寸法は適宜変更することができる。
【００２４】
前記ベースフィルム１１５は、例えば、ポリイミド等の樹脂から成るが、絶縁性を備えるものであれば、いかなる種類の材質であってもよい。また、前記ベースフィルム１１５の他面（実装面側の面）には、補強層１１６が配設されている。該補強層１１６は、例えば、ステンレス鋼等の金属から成るが、その材質は、樹脂であってもよいし、ガラス繊維、炭素繊維等を含む複合材であってもよいし、いかなる種類のものであってもよい。
【００２５】
そして、前記導体パターン１５１は、例えば、あらかじめベースフィルム１１５の一面に貼（てん）付された厚さが数〔μｍ〕〜数１０〔μｍ〕の銅箔にエッチング加工等を施してパターニングすることによって形成されたものであって、雄コネクタ１０１の横方向（幅方向）である本体部１１１の長手方向に延在する前端１１１ａ及び後端１１１ｂに沿った２本の互いに分離した列を形成するように並んで配設され、各列内における隣接する導体パターン１５１同士は、互いに分離され、所定のピッチで配列されている。
【００２６】
また、前端１１１ａに沿った列と後端１１１ｂに沿った列とは、本体部１１１の長手方向に関し、前記ピッチの１／２だけずれるように配設されている。すなわち、前端１１１ａに沿った列内における導体パターン１５１と後端１１１ｂに沿った列内における導体パターン１５１とは、雄コネクタ１０１の横方向（幅方向）に関し、互いに半ピッチずれて千鳥状となるように配列されている。
【００２７】
各導体パターン１５１は、並列に配設された平板状の端子部材であって、本体部１１１の嵌合面に露出するとともに、相手方端子である雄端子としての突出端子１５３を１本ずつ備える。なお、図に示される例において、導体パターン１５１及び突出端子１５３は、本体部１１１の幅方向に延在する列を２本形成するように、所定のピッチ、例えば、０．２〜０．４〔ｍｍ〕程度で、並んで配設されているが、導体パターン１５１及び突出端子１５３の数、ピッチ及びその他配列の態様は、図に示される例に限定されるものではなく、任意に変更することができる。
【００２８】
前記突出端子１５３の各々は、導体パターン１５１の表面から突出する部材であり、例えば、フォトリソグラフィ技術を利用したエッチング等の方法によって、導体パターン１５１と一体的に形成されている。なお、前記突出端子１５３の高さ方向の寸法は、例えば、０．１〜０．３〔ｍｍ〕程度であるが、適宜変更することができる。
【００２９】
また、前記突出端子１５３の上面及び横断面の形状は、幅方向の寸法よりも前後方向の寸法の方が大きいことが望ましい。さらに、前方が尖（とが）った野球のホームベースのような五角形又は六角形、すなわち、前方に傾斜部を備える形状であることがより望ましい。しかしながら、必ずしもこのような形状に限定されるものではなく、円形や楕（だ）円形であってもよく、任意に変更することができる。
【００３０】
本実施の形態において、前記突出端子１５３の側面形状は、図２に示されるように凹面となっていることが望ましい。具体的は、突出端子１５３において、導体パターン１５１の表面に接続されている部分である基端部１５３ａの幅寸法は、上端部である先端部１５３ｂの幅寸法以上であり、基端部１５３ａと先端部１５３ｂとの間の側面部１５３ｃは、基端部１５３ａ及び先端部１５３ｂよりもその幅方向内側に向けて凹入するような形状の滑らかでスムーズな面となっている。なお、前記側面部１５３ｃの形状は、緩やかに連続した曲面であることが望ましいが、複数の斜面が連続した屈曲面であってもよい。
【００３１】
また、各導体パターン１５１は、ベースフィルム１１５の他面（実装面側の面）に配設された対応する図示されない実装パターンに、例えば、ベースフィルム１１５に形成されたスルーホール等を介して、電気的に接続されている。そして、各実装パターンは、実装部材としての基板の表面に形成された接続パッドにはんだ付等によって接続される。これにより、雄コネクタ１０１は基板に取付けられ、かつ、導体パターン１５１及び突出端子１５３は基板の接続パッドと電気的に接続された状態となる。なお、前記実装パターンに代えて、例えば、各導体パターン１５１に、本体部１１１の短手方向に延出し、ベースフィルム１１５よりも外側に突出するようなテール部を形成し、該テール部を基板の接続パッドに接続するようにしてもよい。
【００３２】
また、前記導体パターン１５１の側方には、補助金具１５６が配設されている。該補助金具１５６は、例えば、前記導体パターン１５１とともに、あらかじめベースフィルム１１５の一面に貼付された厚さが数〔μｍ〕〜数１０〔μｍ〕の銅箔にエッチング加工等を施してパターニングすることによって形成されたものであって、本体部１１１の短手方向に延在し、導体パターン１５１から分離して本体部１１１の長手方向両端に配設されている。
【００３３】
各補助金具１５６には、後述する雌コネクタ１のコネクタ係合耳部１３が進入する凹入部１５６ａと、本体部１１１の長手方向外方向に延出する固定用耳部１５６ｂが形成されている。そして、前記本体部１１１の実装面においては、前記固定用耳部１５６ｂの裏面が露出し、該露出した部分は、基板の表面に形成された固定用パッドにはんだ付等によって接続される。これにより、雄コネクタ１０１は基板に強固に取付けられる。
【００３４】
前記補助金具１５６の表面（嵌合面側の面）には、平坦な板状の係合部材としての係合補強板１１８が配設されている。該係合補強板１１８は、例えば、ステンレス鋼等の金属から成るが、その材質は、樹脂であってもよいし、ガラス繊維、炭素繊維等を含む複合材であってもよいし、いかなる種類のものであってもよい。また、各係合補強板１１８には、雌コネクタ１のコネクタ係合耳部１３が進入する入口凹部１１８ａが形成されている。
【００３５】
そして、前記係合補強板１１８は、平板状のスペーサ部材１５７を介して、補助金具１５６の表面に接合されて固定される。この場合、入口凹部１１８ａが凹入部１５６ａに対応する位置に配設されるので、図２に示されるように、雌コネクタ１のコネクタ係合耳部１３と係合するコネクタ係合凹部１１３が形成される。なお、入口凹部１１８ａの寸法が凹入部１５６ａの寸法よりも小さいので、前記コネクタ係合凹部１１３における本体部１１１の前端１１１ａ寄りの部分に、庇（ひさし）状の抜止め部１１３ｂ、及び、該抜止め部１１３ｂに覆われた抜止め凹部１１３ａが形成される。
【００３６】
さらに、前記コネクタ係合凹部１１３乃至入口凹部１１８ａの奥に位置する側壁には、雄コネクタ１０１の幅方向中央に向けて突出する相手方ラッチ凸部としてのラッチ凸部１１８ｂが形成されている。該ラッチ凸部１１８ｂは三角形状の平面形状を備える。そして、前記入口凹部１１８ａにおけるラッチ凸部１１８ｂの前端１１１ａ寄りの部分、及び、後端１１１ｂ寄りの部分は、前側ラッチ凹部１１８ｃ及び後側ラッチ凹部１１８ｄとなっている。
【００３７】
次に、雌コネクタ１の構成について説明する。
【００３８】
図１は本発明の実施の形態における雌コネクタを示す平面図、図４は本発明の実施の形態における雌コネクタの要部断面図であり図１におけるＡ−Ａ矢視断面図、図５は本発明の実施の形態における雌コネクタの分解図、図６は本発明の実施の形態における雌コネクタの反嵌合面側を示す図である。なお、図１において、（ａ）は反嵌合面側を示す図、（ｂ）は嵌合面側を示す図であり、図６において、（ａ）は斜視図、（ｂ）は配線層のみを示す斜視図である。
【００３９】
本実施の形態において、雌コネクタ１は、コネクタとしての第１コネクタであって、矩形状の平面形状を備え、その相手方コネクタである前記第２コネクタとしての雄コネクタ１０１と嵌合して電気的に接続される。また、前記雌コネクタ１は、プリント回路基板、フレキシブルフラットケーブル、フレキシブル回路基板等の実装部材に実装されるものであってもよいが、ここでは、フレキシブルフラットケーブル、フレキシブル回路基板等の後述される平板状ケーブル９１の先端に接続されるものとして説明する。
【００４０】
図に示される例において、雌コネクタ１は、平板状ケーブル９１が接続される平板状のケーブル接続部１２と、該ケーブル接続部１２の先端に形成又は接続された嵌合部としての平板状の本体部１１とを有する。そして、該本体部１１及びケーブル接続部１２は、反嵌合面側（図５における上側）から、板状部材から成る補強板部としての係合補強板１６、接着剤等から成る接合層１８、前記ケーブル接続部１２と共通の絶縁性の薄板部材から成る板状の雌基板部である絶縁層としてのベースフィルム１５、該ベースフィルム１５の一面（図５における下面）に並列に配設された複数本の導電線としての配線６１、前記ケーブル接続部１２と共通の絶縁性の薄板部材から成り、前記配線６１を被覆する板状の雌被覆部である絶縁層としてのカバーフィルム１７、平板状の端子である雌導体部としての複数の平板状端子５１、及び、該平板状端子５１を被覆する板状の絶縁層としての補強層１９を有する。
【００４１】
なお、前記配線６１と同一の層において、配線６１の左右両側にはケーブル接続補助層６３が配設されている。また、前記平板状端子５１は本体部１１にのみ存在し、ケーブル接続部１２における平板状端子５１と同一の層には、端子補助層５６が配設されている。さらに、前記補強層１９と同一の層において、端子補助層５６と対応する位置には、補助補強層１９ｂが配設されている。
【００４２】
前記平板状端子５１は、略楕円状又は長円状の平面形状を有し、端子分離空間５２によって互いに分離されている。また、前記配線６１の各々は、平板状ケーブル９１の導電トレース接続部としての後述される接続パッド９５に電気的に接続されている。なお、前記本体部１１は、厚さ方向の寸法が約０．３〜０．５〔ｍｍ〕程度であるが、その寸法は適宜変更することができる。
【００４３】
前記ベースフィルム１５及びカバーフィルム１７は、例えば、ポリイミド等の樹脂から成るが、絶縁性を備えるものであれば、いかなる種類の材質であってもよい。また、前記係合補強板１６並びに補強層１９及び補助補強層１９ｂは、例えば、ステンレス鋼等の金属から成るが、その材質は、樹脂であってもよいし、ガラス繊維、炭素繊維等を含む複合材であってもよいし、いかなる種類のものであってもよい。
【００４４】
そして、前記配線６１は、例えば、あらかじめベースフィルム１５の一面に貼付された厚さが数〔μｍ〕〜数１０〔μｍ〕の銅箔にエッチング加工等を施してパターニングすることによって形成されたものであって、互いに平行となるように所定のピッチで配列されている。
【００４５】
また、前記平板状端子５１は、例えば、あらかじめカバーフィルム１７の一面に貼付された厚さが数〔μｍ〕〜数１０〔μｍ〕の銅箔にエッチング加工等を施してパターニングすることによって形成されたものであって、雌コネクタ１の横方向（幅方向）に延在する本体部１１の前端１１ａに沿った列とケーブル接続部１２寄りの列とを形成するように並んで配設され、列同士及び各列内における隣接する平板状端子５１同士は、互いに分離され、所定のピッチで配列されている。なお、該ピッチは、前記雄コネクタ１０１の導体パターン１５１のピッチ及び配線６１のピッチと等しくなるように設定される。
【００４６】
そして、前端１１ａに沿った列とケーブル接続部１２寄りの列とは、雌コネクタ１の横方向に関し、前記ピッチの１／２だけずれるように配設されている。すなわち、前端１１ａに沿った列内における平板状端子５１とケーブル接続部１２寄りの列内における平板状端子５１とは、雌コネクタ１の横方向に関し、互いに半ピッチずれて千鳥状となるように配列されている。
【００４７】
各平板状端子５１は、略徳利状、杓（しゃ）文字状又はスプーン（ｓｐｏｏｎ）状の平面形状を備える突出端子収容開口としての開口部５４、該開口部５４の左右両側を画定する第１端子部材としての腕部５３、及び、端子接続孔５１ａを有する。前記開口部５４は、平板状端子５１が雄コネクタ１０１の突出端子１５３と嵌合する際に、該突出端子１５３が進入して収容される部分である。そして、前記開口部５４は、略円形乃至卵形の大径部５４ａと、該大径部５４ａにおける本体部１１の前端１１ａ側に接続され、該前端１１ａに向けて延在する通路状の小径部５４ｂを含んでいる。なお、該小径部５４ｂにおける本体部１１の前端１１ａ側の縁部分は、図５に示されるように、開放されていてもよいが、閉止されていてもよい。
【００４８】
前記大径部５４ａは、突出端子１５３がその先端部１５３ｂから進入する部分であり、その内側部分の寸法は、突出端子１５３の先端部１５３ｂの外側寸法よりも大きく形成されている。これにより、平板状端子５１と突出端子１５３とが嵌合する際に、突出端子１５３は開口部５４内にスムーズに進入することができる。また、前記小径部５４ｂは、雌コネクタ１を雄コネクタ１０１に対して相対的に後方向にスライドさせると、大径部５４ａに進入した突出端子１５３が移動してくる部分である。前記小径部５４ｂの幅寸法は、突出端子１５３の側面部１５３ｃの径又は幅寸法と同程度又はやや小さく、かつ、先端部１５３ｂの幅よりも小さな幅寸法となるように形成される。そのため、突出端子１５３が小径部５４ｂ内に移動すると、両側の腕部５３は、突出端子１５３の側面部１５３ｃに当接し、弾性的に変位させられ、その間隔が押広げられる。したがって、突出端子１５３が腕部５３の接圧を受けるので、突出端子１５３と平板状端子５１との導通が確実に維持される。
【００４９】
前記補強層１９には、各平板状端子５１の開口部５４に対応する位置に、端子対応開口１９ａが形成されている。つまり、該端子対応開口１９ａは、平板状端子５１と同様に、２本の列内において互いに半ピッチずれて千鳥状となるように配列されている。前記端子対応開口１９ａは、補強層１９を板厚方向に貫通する。また、前記端子対応開口１９ａは、略楕円状又は長円状の平面形状を備え、開口部５４よりは大きいが平板状端子５１の外形よりは小さい程度の大きさに形成される。
【００５０】
また、前記カバーフィルム１７には、各平板状端子５１の開口部５４及び端子接続孔５１ａに対応する位置に、端子対応開口１７ａ及びスルーホール１７ｂが形成されている。つまり、端子対応開口１７ａ及びスルーホール１７ｂは、平板状端子５１と同様に、２本の列内において互いに半ピッチずれて千鳥状となるように配列されている。前記端子対応開口１７ａ及びスルーホール１７ｂは、カバーフィルム１７を板厚方向に貫通する。また、前記端子対応開口１７ａは、略楕円状又は長円状の平面形状を備え、開口部５４よりは大きいが平板状端子５１の外形よりは小さい程度の大きさに形成される。さらに、カバーフィルム１７におけるケーブル接続部１２に対応する部分には、各配線６１の接続凸部６１ａに対応する位置に、カバーフィルム１７を板厚方向に貫通する開口としての配線対応開口１７ｃが形成されている。該配線対応開口１７ｃの各々には、対応する配線６１の嵌合側の面が露出している。なお、配線対応開口１７ｃは、図１（ｂ）に示されるように、その幅が対応する配線６１の幅よりも広く、かつ、その長さが接続凸部６１ａの長さよりも長くなるように形成されることが望ましい。
【００５１】
さらに、各配線６１の先端には、略円形の接続端部６２が形成され、該接続端部６２には配線接続孔６２ａが形成されている。該配線接続孔６２ａは、その中心が配線６１の中心軸上に位置し、配線６１を板厚方向に貫通する。また、各配線６１の反嵌合面側の面には、平板状ケーブル９１の導電トレースの接続部としての接続パッド９５と接続される導電接続部としての接続凸部６１ａが形成されている。該接続凸部６１ａは、図４に示されるように、エッチング加工等によって配線６１と一体的に形成された厚肉の部分であって、配線６１の反嵌合面側の面から突出した凸部であり、その反嵌合面側の面は、ベースフィルム１５の反嵌合面側の面とほぼ同一高さとなることが望ましい。また、各配線６１は、その配線接続孔６２ａが対応する平板状端子５１の端子接続孔５１ａ及びカバーフィルム１７のスルーホール１７ｂに対応する位置となるとともに、その接続凸部６１ａがカバーフィルム１７の配線対応開口１７ｃに対応する位置となるように配設されている。
【００５２】
なお、配線６１の左右両側に配設されたケーブル接続補助層６３の反嵌合面側の面には、平板状ケーブル９１の補助パッド９６と接続される接続補助部としての補助凸部６３ａが形成されている。該補助凸部６３ａは、エッチング加工等によってケーブル接続補助層６３と一体的に形成された部分であって、ケーブル接続補助層６３の表面から突出した部分である。
【００５３】
そして、カバーフィルム１７の下面側、すなわち、嵌合側の層に属する各平板状端子５１の端子接続孔５１ａは、スルーホール１７ｂを通過する導通部材を介して、カバーフィルム１７の上面側、すなわち、反嵌合側の層に属する対応する配線６１の配線接続孔６２ａと導通されている。つまり、平板状端子５１と配線６１とは、雌コネクタ１の相違する層上に配設され、導通部材を介して、互いに電気的に接続されている。
【００５４】
また、前記配線６１の接続端部６２及び配線接続孔６２ａは、２本の列内において互いに半ピッチずれて千鳥状となるように配列された平板状端子５１に対応するように配列されている。それに伴い、接続凸部６１ａも、２本の列内において互いに半ピッチずれて千鳥状となるように配列されている。つまり、前記配線６１は、その先端である接続端部６２及び接続凸部６１ａが本体部１１の前端１１ａに近い位置にある長い配線６１と、接続端部６２及び接続凸部６１ａが本体部１１の前端１１ａから遠い位置にある短い配線６１とが交互に並ぶように、配列されている。そして、長い配線６１は、平面視において、ケーブル接続部１２寄りの列における互いに隣接する平板状端子５１同士の間を通過する。
【００５５】
前記ベースフィルム１５には、各平板状端子５１の開口部５４に対応する位置に、端子対応開口１５ａが形成されている。つまり、該端子対応開口１５ａは、平板状端子５１と同様に、２本の列内において互いに半ピッチずれて千鳥状となるように配列されている。前記端子対応開口１５ａは、ベースフィルム１５を板厚方向に貫通する。また、前記端子対応開口１５ａは、略楕円状又は長円状の平面形状を備え、開口部５４よりは大きいが平板状端子５１の外形よりは小さい程度の大きさに形成される。さらに、ベースフィルム１５におけるケーブル接続部１２に対応する部分には、各配線６１の接続凸部６１ａに対応する位置に、ベースフィルム１５を板厚方向に貫通する開口としての配線対応開口１５ｃが形成されている。該配線対応開口１５ｃの各々には、対応する配線６１の反嵌合面側の面に形成された厚肉の接続凸部６１ａが露出し、該接続凸部６１ａの反嵌合面側の面は、望ましくは、ベースフィルム１５の反嵌合面側の面とほぼ同一高さとなっている。該接続凸部６１ａは、平板状ケーブル９１の接続パッド９５に、はんだ付等の手段によって接続される。なお、配線対応開口１５ｃは、図１（ａ）に示されるように、その幅が対応する配線６１の幅よりも広く、かつ、その長さが接続凸部６１ａの長さよりも長くなるように形成されることが望ましい。
【００５６】
そして、前記配線対応開口１５ｃは、カバーフィルム１７の配線対応開口１７ｃとともに、ケーブル接続部１２を板厚方向に貫通する複数の接続部対応開口１２ｃを形成する。該接続部対応開口１２ｃの幅は、接続凸部６１ａの幅よりも広くなっている。
【００５７】
なお、前記ベースフィルム１５における配線対応開口１５ｃの左右両側には、ケーブル接続補助層６３の補助凸部６３ａに対応する位置に、補助凸部対応開口１５ｂが形成されている。該補助凸部対応開口１５ｂの各々には、ケーブル接続補助層６３の補助凸部６３ａが露出し、該補助凸部６３ａの反嵌合面側の面は、望ましくは、ベースフィルム１５の反嵌合面側の面とほぼ同一高さとなっている。
【００５８】
また、係合補強板１６にも、各平板状端子５１の開口部５４に対応する位置に、端子対応開口１６ａが形成されている。つまり、端子対応開口１６ａは、平板状端子５１と同様に、２本の列内において互いに半ピッチずれて千鳥状となるように配列されている。前記端子対応開口１６ａは、係合補強板１６を板厚方向に貫通する。また、前記端子対応開口１６ａは、略楕円状又は長円状の平面形状を備え、開口部５４よりは大きいが平板状端子５１の外形よりは小さい程度の大きさに形成される。さらに、係合補強板１６におけるケーブル接続部１２に対応する部分には、左右一対の腕部１６ｂが後方に向けて延出する。これにより、ケーブル接続部１２の反嵌合面側には、三方を係合補強板１６によって囲まれた接続凹部１２ａが画定される。該接続凹部１２ａ内には、平板状ケーブル９１の後述される先端部９１ａが収容される。
【００５９】
なお、前記係合補強板１６の嵌合面側の層に属する接合層１８にも、各平板状端子５１の開口部５４に対応する位置に、端子対応開口１８ａが形成されている。つまり、該端子対応開口１８ａは、平板状端子５１と同様に、２本の列内において互いに半ピッチずれて千鳥状となるように配列されている。前記端子対応開口１８ａは、接合層１８を板厚方向に貫通する。また、前記端子対応開口１８ａは、略楕円状又は長円状の平面形状を備え、開口部５４よりは大きいが平板状端子５１の外形よりは小さい程度の大きさに形成される。さらに、接合層１８におけるケーブル接続部１２に対応する部分には、係合補強板１６の腕部１６ｂと同様に、左右一対の腕部１８ｂが後方に向けて延出する。
【００６０】
また、前記係合補強板１６における本体部１１に対応する部分の左右両側には、雌コネクタ１の幅方向外側に延出するコネクタ係合耳部１３が一体的に形成されている。該コネクタ係合耳部１３は、雌コネクタ１が雄コネクタ１０１と嵌合すると該雄コネクタ１０１のコネクタ係合凹部１１３と係合する部材であり、雌コネクタ１が雄コネクタ１０１から離脱することを防止する。
【００６１】
そして、前記コネクタ係合耳部１３の後端（ケーブル接続部１２側端）には、凹入する抜止め部１３ｃ、及び、該抜止め部１３ｃを覆うような庇状の抜止め凸部１３ｂが形成される。前記コネクタ係合耳部１３がコネクタ係合凹部１１３と係合した状態で、雌コネクタ１を雄コネクタ１０１に対して該雄コネクタ１０１の前端１１１ａの方向に相対的にスライドさせると、前記抜止め凸部１３ｂ及び抜止め部１３ｃがコネクタ係合凹部１１３の抜止め凹部１１３ａ及び抜止め部１１３ｂと係合し、コネクタ係合耳部１３がコネクタ係合凹部１１３から離脱することを防止する。
【００６２】
また、前記コネクタ係合耳部１３には、雌コネクタ１の幅方向外側に向けて突出するラッチ凸部１３ａが形成されている。該ラッチ凸部１３ａは三角形状の平面形状を備え、雄コネクタ１０１の入口凹部１１８ａにおける前側ラッチ凹部１１８ｃ及び後側ラッチ凹部１１８ｄと嵌合可能となっている。
【００６３】
なお、前記ベースフィルム１５の端子対応開口１５ａ、補助凸部対応開口１５ｂ及び配線対応開口１５ｃや、前記カバーフィルム１７の端子対応開口１７ａ、スルーホール１７ｂ及び配線対応開口１７ｃは、アルカリエッチング液を用いてベースフィルム１５及びカバーフィルム１７をエッチングすることによって、作製することができる。
【００６４】
次に、平板状ケーブル９１の構成について説明する。
【００６５】
図７は本発明の実施の形態における平板状ケーブルの先端近傍を示す平面図、図８は本発明の実施の形態における平板状ケーブルの先端に接続された雌コネクタを示す斜視図である。なお、図８において、（ａ）は雌コネクタの反嵌合面側から観た図、（ｂ）は雌コネクタの嵌合面側から観た図である。
【００６６】
本実施の形態において、平板状ケーブル９１は、フレキシブル回路基板、フレキシブルフラットケーブル等の平板状可撓（とう）性ケーブルであるが、必ずしも可撓性である必要はなく、リジットであってもよく、平板状のケーブルであれば、いかなる種類のものであってもよい。そして、前記平板状ケーブル９１は、細長い帯状の形状を備える絶縁性の薄板部材である板状の基板部としてのベースフィルム９２、該ベースフィルム９２の一面（図８（ａ）における下面）に並列に配設された複数本の導電線としての図示されない導電トレース、及び、該導電トレースの一面を被覆する細長い帯状の形状を備える絶縁性の薄板部材である板状の被覆部としてのカバーフィルム９３を有する。つまり、平板状ケーブル９１は、ベースフィルム９２、導電トレース及びカバーフィルム９３の順に積層された層構造を備える平板状の部材である。
【００６７】
前記導電トレースは、例えば、銅等の導電性金属から成る箔状の線状体であり、所定のピッチで互いに平行に並んで配設される。なお、前記導電トレースの数、ピッチ及び配列の態様は、雌コネクタ１の配線６１と同様であるが、必要に応じて適宜変更することができる。前記平板状ケーブル９１は、通常、長尺の帯状の部材であるが、図においては、図示の都合上、後方（図７における下方）の部分が切除された状態で示されている。
【００６８】
前記ベースフィルム９２及びカバーフィルム９３は、例えば、ポリイミド等の樹脂から成るが、絶縁性を備えるものであれば、いかなる種類の材質であってもよい。また、前記導電トレースは、例えば、あらかじめベースフィルム９２の一面に貼付された厚さが数〔μｍ〕〜数１０〔μｍ〕の銅箔にエッチング加工等を施してパターニングすることによって形成されたものである。
【００６９】
平板状ケーブル９１の先端部９１ａは、その他の部分と同等の幅を備える幅広部９１ａ２と、該幅広部９１ａ２より前方に向けて延出し、前記幅広部９１ａ２より幅の狭い幅狭部９１ａ１とを有する。そして、前記カバーフィルム９３の先端部９１ａに対応する部分には、雌コネクタ１のケーブル接続部１２に形成された接続部対応開口１２ｃに対応する位置に、接続パッド対応開口９３ａが形成され、該接続パッド対応開口９３ａの各々の内部には、導電トレース接続部としての接続パッド９５が露出している。
【００７０】
該接続パッド９５の各々は、各導電トレースの一部であって、接続パッド対応開口９３ａに露出し、雌コネクタ１の配線６１の接続凸部６１ａに接続される部分である。なお、前記接続パッド９５は、導電トレースの他の部分よりも幅広であることが望ましい。また、前記カバーフィルム９３は、極めて薄いフィルムであるので、露出している接続パッド９５の面は、カバーフィルム９３の面とほぼ同一高さと考えられる。
【００７１】
前記接続パッド対応開口９３ａ及び接続パッド９５は、２本の列内において互いに半ピッチずれて千鳥状となるように配列されている。具体的には、幅狭部９１ａ１内の列と幅広部９１ａ２内の列とは、平板状ケーブル９１の幅方向に関し、前記ピッチの１／２だけずれるように配設されている。なお、幅狭部９１ａ１内に接続パッド９５が形成された導電トレースは、平面視において、幅広部９１ａ２内の列における互いに隣接する接続パッド９５同士の間を通過する。
【００７２】
また、前記カバーフィルム９３の幅広部９１ａ２における接続パッド９５の左右両側には、補助パッド対応開口９３ｂが形成され、該補助パッド対応開口９３ｂの各々の内部には、補助パッド９６が露出している。該補助パッド９６の各々は、例えば、平板状ケーブル９１が備える図示されないグランド線等の一部であって、補助パッド対応開口９３ｂに露出し、雌コネクタ１のケーブル接続補助層６３の補助凸部６３ａに接続される部分である。なお、前記補助パッド９６は、グランド線等の他の部分よりも幅広であることが望ましい。また、前記カバーフィルム９３は、極めて薄いフィルムであるので、露出している補助パッド９６の面は、カバーフィルム９３の面とほぼ同一高さと考えられる。
【００７３】
平板状ケーブル９１を雌コネクタ１に接続する場合には、まず、図７に示されるような平板状ケーブル９１の先端部９１ａにおける接続パッド９５が露出する面を、雌コネクタ１のケーブル接続部１２における反嵌合面に対向させる。そして、図８（ａ）に示されるように、平板状ケーブル９１の先端部９１ａを雌コネクタ１のケーブル接続部１２の接続凹部１２ａ内に収容し、互いに対応する接続パッド９５と配線６１の接続凸部６１ａとをはんだ付によって接続するとともに、互いに対応する補助パッド９６とケーブル接続補助層６３の補助凸部６３ａとをはんだ付によって接続する。具体的には、例えば、接続パッド９５及び補助パッド９６の面、又は、接続凸部６１ａ及び補助凸部６３ａの面に事前にペースト状のはんだを付与しておき、平板状ケーブル９１の先端部９１ａを雌コネクタ１のケーブル接続部１２の接続凹部１２ａ内に収容した状態で加熱してはんだをリフローすることによって、はんだ付を行うことができる。これにより、図８（ａ）及び（ｂ）に示されるように、平板状ケーブル９１と雌コネクタ１とが接続される。
【００７４】
本実施の形態においては、接続凸部６１ａ及び補助凸部６３ａが反嵌合面側に突出しているので、平板状ケーブル９１の先端部９１ａを雌コネクタ１のケーブル接続部１２の接続凹部１２ａ内に収容した状態で、接続凸部６１ａ及び補助凸部６３ａの面と、それに対向する接続パッド９５及び補助パッド９６の面とが近接又は接触しているので、接続凸部６１ａ及び補助凸部６３ａと接続パッド９５及び補助パッド９６とが、はんだ付によって確実に、かつ、強固に接続される。したがって、各配線６１と対応する導電トレースとが確実に導通する。また、平板状ケーブル９１と雌コネクタ１との物理的な接続が確実、かつ、強固なものとなる。
【００７５】
さらに、図６（ａ）に示されるように、各接続凸部６１ａの周囲に配線対応開口１５ｃ乃至接続部対応開口１２ｃに対応する凹部が形成されているので、溶融したはんだの量が多くても、余分なはんだは、前記凹部内に収容されるため、周囲に流出してしまうことがない。したがって、隣接する接続凸部６１ａ同士又は接続パッド９５同士の流出したはんだによる短絡が確実に防止される。
【００７６】
さらに、図８（ｂ）に示されるように、カバーフィルム１７には、各接続凸部６１ａに対応する位置に配線対応開口１７ｃが形成されているので、雌コネクタ１の嵌合面側から、配線対応開口１７ｃを通して、接続凸部６１ａと接続パッド９５とのはんだ付の状態を視認することができる。したがって、接続凸部６１ａと接続パッド９５との接続状態を目視検査することができる。
【００７７】
さらに、図８（ａ）に示されるように、平板状ケーブル９１の先端部９１ａが雌コネクタ１のケーブル接続部１２の接続凹部１２ａ内に収容された状態で、ベースフィルム９２の外面と雌コネクタ１の係合補強板１６の反嵌合面とがほぼ面一となる。したがって、平板状ケーブル９１が接続された状態での雌コネクタ１を、低背化することができる。
【００７８】
次に、前記構成の雄コネクタ１０１と雌コネクタ１とを嵌合する動作について説明する。
【００７９】
図９は本発明の実施の形態における雄コネクタと雌コネクタとの嵌合工程を示す平面図、図１０は本発明の実施の形態における雄コネクタと雌コネクタとが嵌合完了した状態を示す斜視図である。なお、図９において、（ａ）〜（ｃ）は嵌合工程の各段階を示す図である。
【００８０】
オペレータは、雄コネクタ１０１の嵌合面（図２における上側の面）と雌コネクタ１の嵌合面（図１（ｂ）に示される面）とを対向させた状態として、雌コネクタ１を雄コネクタ１０１に対して相対的に下降させ、すなわち、嵌合方向に移動させ、雄コネクタ１０１の嵌合面と雌コネクタ１の嵌合面とを当接又は近接させる。
【００８１】
これにより、図９（ａ）に示されるように、雌コネクタ１の左右のコネクタ係合耳部１３が、雄コネクタ１０１の左右のコネクタ係合凹部１１３に進入するとともに、雄コネクタ１０１の突出端子１５３の各々が、雌コネクタ１の対応する平板状端子５１の開口部５４における大径部５４ａ内に進入する。
【００８２】
なお、図９及び１０においては、図示の都合上、平板状ケーブル９１の描画が省略されている。
【００８３】
前記コネクタ係合凹部１１３の内側寸法がコネクタ係合耳部１３の外側寸法よりも大きく形成されているので、コネクタ係合耳部１３はコネクタ係合凹部１１３内にスムーズに進入することができる。また、該コネクタ係合凹部１１３の奥に位置する後側ラッチ凹部１１８ｄの内側寸法がコネクタ係合耳部１３の先端のラッチ凸部１３ａの外側寸法よりも大きく形成されているので、ラッチ凸部１３ａは後側ラッチ凹部１１８ｄ内にスムーズに進入することができる。さらに、前記大径部５４ａの内側寸法が突出端子１５３の先端部１５３ｂの外側寸法よりも大きく形成されているので、突出端子１５３は大径部５４ａ内にスムーズに進入することができる。
【００８４】
続いて、オペレータは、雌コネクタ１を雄コネクタ１０１に対して該雄コネクタ１０１の前端１１１ａの方向に、相対的にスライドさせる。すなわち、雄コネクタ１０１の嵌合面と雌コネクタ１の嵌合面とを当接又は接近させた状態で雌コネクタ１を雄コネクタ１０１に対して該雄コネクタ１０１の前方に相対的に前進させる。
【００８５】
すると、図９（ｂ）に示されるように、左右のコネクタ係合耳部１３の先端のラッチ凸部１３ａの後方側の斜面が、後側ラッチ凹部１１８ｄの前端１１１ａ寄りに位置するラッチ凸部１１８ｂの後方側の斜面に当接する。そして、オペレータが雌コネクタ１を雄コネクタ１０１に対して該雄コネクタ１０１の前方に相対的に更に前進させると、雌コネクタ１のラッチ凸部１３ａ及び／又は雄コネクタ１０１のラッチ凸部１１８ｂが弾性的に変形し、雌コネクタ１のラッチ凸部１３ａが雄コネクタ１０１のラッチ凸部１１８ｂを乗越えて、図９（ｃ）に示されるように、前側ラッチ凹部１１８ｃ内に進入する。このように、雌コネクタ１のラッチ凸部１３ａが雄コネクタ１０１のラッチ凸部１１８ｂを乗越える際には、雌コネクタ１のラッチ凸部１３ａ及び／又は雄コネクタ１０１のラッチ凸部１１８ｂが弾性的に変形することによって反力が発生する。また、振動や音が発生することもある。オペレータは、このような反力、振動及び／又は音をクリック感として、知覚することができる。
【００８６】
また、平板状端子５１の開口部５４における大径部５４ａ内に位置する突出端子１５３は、小径部５４ｂに向って相対的に移動する。そして、突出端子１５３が小径部５４ｂ内に進入すると、両側の腕部５３は、突出端子１５３の側面部１５３ｃに当接し、弾性的に変位させられ、その間隔が押広げられる。したがって、突出端子１５３が腕部５３の接圧を受けるので、突出端子１５３と平板状端子５１との導通が確実に維持される。
【００８７】
このようにして、雄コネクタ１０１と雌コネクタ１との嵌合が完了すると、図９（ｃ）及び１０に示されるように、コネクタ係合耳部１３の抜止め凸部１３ｂ及び抜止め部１３ｃがコネクタ係合凹部１１３の抜止め凹部１１３ａ及び抜止め部１１３ｂと係合して保持される。これにより、コネクタ係合耳部１３がコネクタ係合凹部１１３から離脱することが防止され、雄コネクタ１０１と雌コネクタ１との嵌合解除が確実に防止される。
【００８８】
また、ラッチ凸部１３ａが前側ラッチ凹部１１８ｃ内に進入して係合して保持される。これにより、雌コネクタ１の雄コネクタ１０１に対する嵌合解除方向へのスライドが防止されるので、コネクタ係合耳部１３の抜止め凸部１３ｂ及び抜止め部１３ｃとコネクタ係合凹部１１３の抜止め凹部１１３ａ及び抜止め部１１３ｂとの係合解除が確実に防止される。
【００８９】
なお、雄コネクタ１０１と雌コネクタ１との嵌合を解除する動作については、雄コネクタ１０１と雌コネクタ１とを嵌合させるための動作と逆の動作にすぎないので、説明を省略する。
【００９０】
また、本実施の形態においては、導体パターン１５１及び平板状端子５１の列が２本である場合について説明したが、前記列の数は、２本に限定されるものではなく、複数であれば何本であってもよい。そして、１つの列の導体パターン１５１と隣接する列の導体パターン１５１とは本体部１１１の幅方向の位置がずれていればよく、１つの列の平板状端子５１と隣接する列の平板状端子５１とは本体部１１の幅方向の位置がずれていればよい。
【００９１】
このように、本実施の形態において、雌コネクタ１は、平板状ケーブル９１が接続される平板状のケーブル接続部１２と、雄コネクタ１０１と嵌合する平板状の本体部１１とを有する。そして、本体部１１に配設され、雄コネクタ１０１の突出端子１５３と接触する複数の平板状端子５１と、ケーブル接続部１２に露出し、平板状ケーブル９１の接続パッド９５に接続される複数の接続凸部６１ａと、本体部１１からケーブル接続部１２に亘って延在し、各々が対応する平板状端子５１と接続凸部６１ａとを電気的に接続する複数の配線６１とを有し、接続凸部６１ａは、配線６１に形成された凸部であり、接続凸部６１ａの上面がケーブル接続部１２の一方の外面と同等の高さである。
【００９２】
これにより、ケーブル接続部１２に平板状ケーブル９１を接続する際に、接続凸部６１ａの上面を平板状ケーブル９１の接続パッド９５に近接乃至接触させることができ、はんだ付等によって接続凸部６１ａと接続パッド９５とを確実に接続することができる。したがって、平板状ケーブル９１を容易に、かつ、確実に接続することができ、製造が容易で、構成が簡素で、小型低背、かつ、高密度でありながら、信頼性の高い雌コネクタ１を得ることができる。
【００９３】
また、ケーブル接続部１２は、板厚方向に貫通する複数の接続部対応開口１２ｃを備え、接続凸部６１ａの各々は、各接続部対応開口１２ｃ内に露出する。したがって、ケーブル接続部１２の他方の外面側から、接続部対応開口１２ｃを通して接続凸部６１ａと接続パッド９５とのはんだ付等による接続状態を目視によって確認することができる。
【００９４】
さらに、接続部対応開口１２ｃは、接続凸部６１ａよりも幅が広い。したがって、溶融したはんだの量が多くても、余分なはんだは、接続凸部６１ａの周囲の接続部対応開口１２ｃ内に収容される。これにより、余分なはんだの周囲への流出が防止され、隣接する接続凸部６１ａ同士又は接続パッド９５同士が、流出したはんだによって短絡してしまうことがない。
【００９５】
さらに、ケーブル接続部１２は、配線６１の一面側に配設された絶縁性のベースフィルム１５と、配線６１の他面側に配設された絶縁性のカバーフィルム１７とを含み、接続部対応開口１２ｃは、ベースフィルム１５を板厚方向に貫通する配線対応開口１５ｃと、カバーフィルム１７を板厚方向に貫通する配線対応開口１７ｃとを含み、接続凸部６１ａの上面は、ベースフィルム１５の外面と同等の高さである。したがって、ケーブル接続部１２の構成が簡素でありながら、隣接する接続凸部６１ａ同士の間は、ベースフィルム１５及びカバーフィルム１７によって確実に絶縁されるので、短絡してしまうことがない。
【００９６】
さらに、接続凸部６１ａは、雌コネクタ１の幅方向に延在する複数の列を形成するように並んで配列され、互いに隣接する列内における接続凸部６１ａは、雌コネクタ１の幅方向に関し、互いに半ピッチずれて千鳥状と成るように配列される。したがって、ケーブル接続部１２に露出する接続凸部６１ａ同士の間隔を保持して短絡を防止しながら、配線６１のピッチを狭くすることができ、配線６１を高密度化することができる。
【００９７】
なお、本発明は前記実施の形態に限定されるものではなく、本発明の趣旨に基づいて種々変形させることが可能であり、それらを本発明の範囲から排除するものではない。
【産業上の利用可能性】
【００９８】
本発明は、コネクタに適用することができる。
【符号の説明】
【００９９】
１    雌コネクタ
１１、１１１    本体部
１１ａ、１１１ａ    前端
１２    ケーブル接続部
１２ａ    接続凹部
１２ｃ    接続部対応開口
１３    コネクタ係合耳部
１３ａ、１１８ｂ    ラッチ凸部
１３ｂ    抜止め凸部
１３ｃ、１１３ｂ    抜止め部
１５、９２、１１５    ベースフィルム
１５ａ、１６ａ、１７ａ、１８ａ、１９ａ    端子対応開口
１５ｂ    補助凸部対応開口
１５ｃ、１７ｃ    配線対応開口
１６、１１８    係合補強板
１６ｂ、１８ｂ、５３    腕部
１７、９３    カバーフィルム
１７ｂ    スルーホール
１８    接合層
１９、１１６    補強層
１９ｂ    補助補強層
５１    平板状端子
５１ａ    端子接続孔
５２    端子分離空間
５４、８１２    開口部
５４ａ    大径部
５４ｂ    小径部
５６    端子補助層
６１    配線
６１ａ    接続凸部
６２    接続端部
６２ａ    配線接続孔
６３    ケーブル接続補助層
６３ａ    補助凸部
９１    平板状ケーブル
９１ａ、１５３ｂ    先端部
９１ａ１    幅狭部
９１ａ２    幅広部
９３ａ    接続パッド対応開口
９３ｂ    補助パッド対応開口
９５    接続パッド
９６    補助パッド
１０１    雄コネクタ
１１１ｂ    後端
１１３    コネクタ係合凹部
１１３ａ    抜止め凹部
１１８ａ    入口凹部
１１８ｃ    前側ラッチ凹部
１１８ｄ    後側ラッチ凹部
１５１    導体パターン
１５２    パターン分離空間
１５３    突出端子
１５３ａ    基端部
１５３ｃ    側面部
１５６    補助金具
１５６ａ    凹入部
１５６ｂ    固定用耳部
１５７    スペーサ部材
８１１    ハウジング
８１３    凹部
８１４    側壁部
８１５    前壁部
８２１    カバー部材
８２２    櫛歯ガイド
８５１    端子
８５２    間隙
９０１    フレキシブル回路基板
９１５    樹脂シート
９１６    樹脂フィルム
９１７    貫通孔
９６１    導体
【図１】
2014225336.tif 000003
【図２】
2014225336.tif 000004
【図３】
2014225336.tif 000005
【図４】
2014225336.tif 000006
【図５】
2014225336.tif 000007
【図６】
2014225336.tif 000008
【図７】
2014225336.tif 000009
【図８】
2014225336.tif 000010
【図９】
2014225336.tif 000011
【図１０】
2014225336.tif 000012
【図１１】
2014225336.tif 000013